(57)【要約】【課題】  照明光による収納物の劣化を抑制することができると共に、光による演出にて収納物を際立たせつつも落ちつきある部屋外観を得ることができる収納棚を提供する。【解決手段】  背板２の前方に隙間Ｓを隔てて棚板３を配置する。隙間Ｓに臨む背板２の前面に前方に照明光Ｌ１を照射する照明器具４を沿設する。隙間Ｓに臨む棚板３の後端面に照明器具４からの照明光Ｌ１を後方に向けて反射させる反射部材５を沿設する。反射部材５からの反射光Ｌ２で背板２の前面を照らすようにする。【選択図】        図１
2006198019.tif 000002
【特許請求の範囲】
【請求項１】
背板の前方に隙間を隔てて棚板を配置し、隙間に臨む背板の前面に前方に照明光を照射する照明器具を沿設し、隙間に臨む棚板の後端面に上記照明器具からの照明光を後方に向けて反射させる反射部材を沿設し、上記反射部材からの反射光で背板の前面を照らすようにしたことを特徴とする収納棚。
【請求項２】
反射部材の反射面を反射光が集光されるような形状に形成したことを特徴とする請求項１記載の収納棚。
【発明の詳細な説明】
【技術分野】
【０００１】
本発明は、照明器具を備えた収納棚に関するものである。
【背景技術】
【０００２】
従来から、住宅内に配設される収納棚には、収納空間の前面に目くら板からなる扉を配置して収納物を部屋外観に現出させないで部屋外観をすっきり見せるための隠す収納や、収納空間の前面をオープンにしたり透光性板材でなる扉を配置して収納物を部屋外観に積極的に現出させて部屋外観に個性的なアクセントをつけるための見せる収納を図ったものがある。近年では個性的な部屋外観を求める傾向が強く、後者の見せる収納を図った収納棚が注目されている。見せる収納を図った収納棚１としては、たとえば図１０のように、収納スペースの上部の棚板３に照明器具４を装着し、下部の棚板３上に載置した収納物Ｂに対して照明器具４から下方に照射された照明光Ｌを当て、収納物Ｂを際立たせるような光による演出を図ったものが提案されている（たとえば特許文献１参照）。
【０００３】
しかしながら、上記のように直接照明で収納物Ｂを照らすものにあっては、照明光Ｌに含まれる紫外線や熱が直接収納物Ｂに当てられることから、長期的には収納物Ｂを劣化させる恐れがある。また、直接照明で収納物Ｂを照射することは、収納物Ｂ自体を光らせて目立たせるという店舗のショーケース６に飾られた収納物Ｂのような外観を現出するものであり、光による演出にて収納物Ｂを際立たせつつも住居空間として適する落ちつきある部屋外観に仕上げることは難しいものであった。
【特許文献１】特開２００２−１８０５７２号公報
【発明の開示】
【発明が解決しようとする課題】
【０００４】
本発明は上記の従来の問題点に鑑みて発明したものであって、照明光による収納物の劣化を抑制することができ、光による演出にて収納物を際立たせつつも落ちつきある部屋外観を得ることができる収納棚を提供することを課題とするものである。
【課題を解決するための手段】
【０００５】
上記課題を解決するために本発明の請求項１に係る収納棚１は、背板２の前方に隙間Ｓを隔てて棚板３を配置し、隙間Ｓに臨む背板２の前面に前方に照明光Ｌ１を照射する照明器具４を沿設し、隙間Ｓに臨む棚板３の後端面に上記照明器具４からの照明光Ｌ１を後方に向けて反射させる反射部材５を沿設し、上記反射部材５からの反射光Ｌ２で背板２の前面を照らすようにしたことを特徴とする。これによると、反射部材５からの反射光Ｌ２を背板２の前面に照射して反射させることで得られる間接照明の柔らかい光によって棚板３上の収納物Ｂを後方から照らすようにできるのであり、ここで間接照明の柔らかい光には直接照明の強い光に比べて含有される紫外線や熱の量が少ないことから、照明光による収納物Ｂの劣化を抑制できるのであり、また、間接照明の柔らかい光を背にして該柔らかい光の中に収納物Ｂを浮かび上げるような光による演出の部屋外観が得られることから、収納物Ｂ自体を光らせて目立たせるという店舗のショーケース６とは趣の異なる光による演出によって、収納物Ｂを際立たせつつも住居空間に適した落ちつきある部屋外観を得ることができる。更に言うと、反射部材５からの反射光Ｌ２は背板２の前面の広範囲に照射できるから、得られる間接照明も比較的明るいものとできて収納物Ｂをより際立たせて部屋外観の向上に資することができ、また、照明器具４への給電線２０を収納棚１の裏方から隙間Ｓを通さずに照明器具４に直に接続できるから、給電線２０の収まりを良好にできると共に照明光Ｌ１による給電線２０の陰をつくることがなく、この点でも、収納棚１ひいては部屋外観の向上に資することができる。
【０００６】
また、請求項２に係る収納棚１は、請求項１において、反射部材５の反射面１６，１７を反射光Ｌ２が集光されるような形状に形成したことを特徴とする。これによると、背板２の所望箇所に照明光Ｌ１を集めて間接照明をつくることができ、間接照明のコントラストを高めたり等、部屋外観の向上に資することができる。
【発明の効果】
【０００７】
本発明は、含有する紫外線や熱が少ない間接照明の柔らかい光の中に収納物を浮かび上げるという光の演出にて収納物を際立たせることができることから、照明光による収納物の劣化を抑制できると共に収納物を際立たせつつも住居空間に適した落ちつきある部屋外観を得ることができる。
【発明を実施するための最良の形態】
【０００８】
以下、本発明を添付図面に示す実施形態に基いて説明する。
【０００９】
図３のように、居間に置かれるテレビボード等の収納家具Ａ内に設けた収納棚１は、背板２の前面に左右に所定間隔をあけて配設された側板７の間に上下に間隔をあけて複数の棚板３を架設して形成されている。詳しくは、背板２や側板７や棚板３はいずれも耐荷重性を備えた非透光性の木製板材で形成されており、棚板３は側板７の内面に沿設される両側端面の前後位置にそれぞれ上方に凹ませた引っ掛け凹部８が形成され、各側板７の内面から対向して突設された係止突起９に引っ掛け凹部８を上方から引っ掛け係止させることで棚板３が側板７間に着脱自在に架設されている。なお、係止突起９は左右の側板７の間では同高さ位置の関係を有すると共に、側板７の上下の複数箇所に間隔を隔てて設けられている。すなわち、棚板３は、任意の係止突起９を選択して引っ掛け凹部８に係止させることで、上下の任意位置に配置可能にされている。
【００１０】
棚板３は、図１や図２のように背板２との間に側板７間に亙るような隙間Ｓを生じるように配設される。詳しくは、本例の棚板３は、図５及び図６のように、その後端部に別体のケース６が取付けられている。このケース６は、平行に配置した上水平片１０と下水平片１１とを垂直片１２で接続してなる長尺の樹脂製押出し成形品であり、垂直片１２より前方の上水平片１０及び下水平片１１を棚板３の後端部に上下から引っ掛けて係合し、棚板３の後端面に垂直片１２を沿わせてビス等の固定具１３をその後方から棚板３に打入することで、棚板３の後端部に取付けられている。側板７間に棚板３を架設したときには、上水平片１０及び下水平片１１の後端面が背板２の前面に突き合わされ、垂直片１２より後方の上水平片１０と下水平片１１との空間で隙間Ｓが形成されている。ここで、少なくとも上水平片１０及び下水平片１１のいずれか一方は透光性を有するように形成されるのが好ましく、本例では、上水平片１０及び下水平片１１のいずれもが透光性を有するように形成され、詳しくは照明器具４の光源を隠匿するべく乳白板が用いられている。また、下水平片１１の後端部には、上方から係合突起９に引っ掛け凹部８を被せるように棚板３を収納棚１内に配置するときに背板２の前面に装着された照明器具４を避けるための切欠１４が形成されている。
【００１１】
また、垂直片１２の接続部位近傍における隙間Ｓに臨む上水平片１０の下面と下水平片１１の上面にはそれそれ固定リブ１５が対向するように突設され、各固定リブ１５と垂直片１２との間に反射部材５の上縁及び下縁を挿入係止させることで、垂直片１２の後面に沿って反射部材５が取付けられる。ここで、反射部材５は、図７（ａ）のように、後方斜め上方に面する上反射面１６を上部に有し、後方斜め下方に面する下反射面１７を下部に有した断面く字状板材で形成されている。上反射面１６は照明器具４から前方に照射された照明光Ｌ１を後方斜め上方に反射させる部位であり、下反射面１７は照明器具４から前方に照射された照明光Ｌ１を後方斜め上方に反射させる部位である。上述のように上反射面１６及び下反射面１７は照明光Ｌ１を反射させる部位であるから、反射効率を高めるためにその表面には、鏡面仕上げに形成したり鏡面シートを貼着したり等、鏡面処理を施すことも好ましい。また、光を反射可能な表面を有する金属板材を上下に折曲げて簡単に反射部材５を形成してもよい。
【００１２】
照明器具４は、背板２における収納棚１内に配置した棚板３の後方部位に取付けられる。ここで、本例の照明器具４は、その外形が左右に長尺で垂直な薄板状に形成され、その光源には多数のＬＥＤ１８が用いられている。多数のＬＥＤ１８は、図４のように、左右方向に長尺で垂直な基板１９の前面に左右方向に所定間隔毎で且つ上下２列にして列設されており、照明器具４から前方に向けて一様な照明光Ｌ１を照射可能にしている。なお、図中２０は照明器具４に給電させる給電線である。また、背板２における照明器具４の配置予定位置には貫通孔２３が穿設されており、照明器具４の背板２への取付施工時には、照明器具４から延出された給電線２０を貫通孔２３に通して背板２の後方に引き出して電源に接続するといった作業も同時に行われる。収納棚１に棚板３を配置したときには照明器具４は棚板３の後端部に取着されたケース６の上水平片１０と下水平片１１との間に位置し、つまり照明器具４は隙間Ｓを介して反射部材５と対向して配置される。しかして、照明器具４から前方に向けて照射した照明光Ｌ１は、図７（ｂ）のように、反射部材５の上反射面１６及び下反射面１７にて後方の斜め上下方向に向けて反射され、この反射光Ｌ２はケース６の上水平片１０及び下水平片１１を通過して背板２の前面を照射するのである。なお本例では、上下２列に列設されたＬＥＤ１８のうち、上側のＬＥＤ１８は上反射面１６に向けて照明光Ｌ１を照射し、下側のＬＥＤ１８は下反射面１７に向けて照明光Ｌ１を照射するようにされている。そして、背板２の前面に照射された反射光Ｌ２はその一部が背板２の前面で反射し、収納棚１の奥部に間接照明がつくられるのである。
【００１３】
このように本例の収納棚１にあっては、図１（ｂ）のように、棚板３上に載置した収納物Ｂが間接照明の柔らかい光を背にして該柔らかい光の中に浮かび上がるような光による演出を現出することができるのであり、つまり収納物Ｂ自体を光らせて目立たせるという店舗のショーケース６とは趣の異なる光による演出によって収納物Ｂを際立たせつつ、間接照明の柔らかい光が醸し出す住居空間に適した落ちつきある部屋外観を得ることができるのである。更に言うと、反射部材５からの反射光Ｌ２は背板２の前面の広範囲に照射されるのであり、得られる間接照明も比較的明るいものとできるから、収納物Ｂをより際立たせることができて部屋外観が効果的に向上されているのである。
【００１４】
また、間接照明の照明光Ｌ１は照明器具４から照射された照明光Ｌ１が背板２の前面で反射した柔らかい光であり、この柔らかい光には照明器具４から照射された照明光Ｌ１に比べて含有する紫外線や熱の量が背板２に吸収された分だけ低減されている。特に本例のように反射する背板２が木質材等の紫外線や熱を吸収する材質であった場合には紫外線や熱の量を大幅に低減できる。しかして、本例の収納棚１のように収納物Ｂを照らすのが間接照明の柔らかい光であると、照明光Ｌ１に含まれる紫外線や熱による収納物Ｂの劣化を抑制できるという利点も有している。
【００１５】
また、照明器具４への給電線２０は収納棚１の裏方から隙間Ｓを通さずに照明器具４に直に接続されているから、給電線２０の収まりを良好にできると共に照明光Ｌ１による給電線２０の陰をつくることがなく、この点でも、収納棚１ひいては部屋外観の向上が図られているのである。換言すると、照明器具４を背板２に取付けたことによって給電線２０を収納棚１の裏方から隙間Ｓを通さずに照明器具４に直に接続させることができたので、給電線２０の良好な収まりを得るために行う給電線２０の隠蔽作業を省くことができ、施工性良く収納棚１ひいては部屋外観の向上が図られているのである。
【００１６】
なお、本例の収納棚１における使用形態としては、照明器具４の前方に棚板３を配置しないことも好ましく、この場合には従来技術にあるように直接照明で収納棚１内を照らすことができるのであり、つまり照明器具４の前方への棚板３の配置の有無によって間接照明または直接照明の切替えを容易に行えるといった利点も有している。また、図示はしないが、背板２に後方に凹没した凹所を形成してこの凹所内に照明器具４を配設し、つまり背板２内に照明器具４を埋設することも好ましく、この場合には、棚板３に装着したケース６の下水平片１１に形成した切欠１４が不要になり、ケース６を簡単な形状にすることができる。
【００１７】
図８には本発明の実施の形態の他例を示す。本例は、反射部材５の反射面１６，１７の形状を、反射光Ｌ２を背板２の前面の所定部位に集光させるような形状に形成したものであり、その余のものは先例と同構造であるから同符号を付して説明を省く。先例のように反射部材５の反射面１６，１７表面が面一状に形成されると、反射面１６，１７の傾斜角度によっては背板２への反射光Ｌ２の照射範囲が広がり過ぎて周囲照度に打ち消されてしまって棚板３から離れた背板２の表面部位における間接照明が視認し難い場合もあり得るのであるが、本例のように反射部材５の反射面１６，１７を反射光Ｌ２が集光されるような形状に形成し、背板２の所定箇所に反射光Ｌ２を集光するようにすると、該背板２の所定箇所での間接照明を明瞭につくることができ、間接照明のコントラストを高めたり等、部屋外観の向上を図ることができるのである。なお、本例では、反射部材５の反射面１６，１７に形成する反射光Ｌ２を集光するための形状としては、前方に凹没するようなＲ形状２４が採用されている。
【００１８】
なお、上述した実施の形態の諸例ではケース６に別体の反射部材５を取付るようにしているが、ケース６と反射部材５とは一体に形成することも施工性の観点から好ましい。また、製造性の観点からケース６は上下に分割形成して各半体を棚板３に個別に取付けても、上記ケース６の半体のいずれかのみを棚板３に取付けることも意匠性の観点から好ましい。また意匠性の観点からはケース６の上下の水平片１０，１１のいずれかを透光性のない遮蔽板で構成してもよい。また、たとえば棚板３と背板２との隙間Ｓ幅が狭い等で照明器具４の照明光Ｌ１の略全てを反射部材５に照射可能なものでは、ケース６を装着せず、反射部材５を隙間Ｓに臨む棚板３の後端面に直接取付けることも、構成簡略化の観点から好ましい。また、図９にあるように、棚板３の上面及び下面における後端部にそれぞれ段差２５を形成し、棚板３の後端部にケース６を取付けるときに垂直片１２より前方の上水平片１０及び下水平片１１の部位を段差２５に挿入し、棚板３及びケース６の各上面同士及び各下面同士をそれぞれ面一形状にすることも、意匠性の観点から好ましい。
【図面の簡単な説明】
【００１９】
【図１】本発明の実施の形態の例の収納棚であり、（ａ）は概略側断面図であり、（ｂ）は斜視図である。
【図２】図１（ａ）の要部の拡大図である。
【図３】同上の収納棚を備えた収納家具の斜視図である。
【図４】同上の照明器具であり、（ａ）は正面図であり、（ｂ）は平面図であり、（ｃ）は裏面図である。
【図５】同上の側方且つ後方から見た棚板の斜視図である。
【図６】同上の側方且つ前方から見た棚板の斜視図である。
【図７】（ａ）は同上の反射部材の側面図であり、（ｂ）は間接照明を説明する側面図である。
【図８】本発明の実施の形態の他例であり、（ａ）は反射部材の側面図であり、（ｂ）は間接照明を説明する側面図である。
【図９】本発明の実施の形態の更に他例であり、収納棚の要部の側断面図である。
【図１０】背景技術の例の斜視図である。
【符号の説明】
【００２０】
１  収納棚
２  背板
３  棚板
４  照明器具
５  反射部材
７  側板
１６  上反射面
１７  下反射面
２０  給電線
Ｌ１  照明光
Ｌ２  反射光
Ｂ  収納物
Ｓ  隙間
【図１】
2006198019.tif 000003
【図２】
2006198019.tif 000004
【図３】
2006198019.tif 000005
【図４】
2006198019.tif 000006
【図５】
2006198019.tif 000007
【図６】
2006198019.tif 000008
【図７】
2006198019.tif 000009
【図８】
2006198019.tif 000010
【図９】
2006198019.tif 000011
【図１０】
2006198019.tif 000012